(57)【特許請求の範囲】
【請求項１】
折曲可能な六角形状シート体の少なくとも一方の面に、５箇所の角部から中心点までそれぞれ山折り線が表示されていると共に、残余の１箇所の角部から中心点まで切れ目が形設されており、かつ当該山折り線と切れ目によって形成された６箇所の三角形状領域部に、順次１月〜６月までの暦又は７月〜１２月までの暦が、当該１月と６月の暦の間又は当該７月と１２月の暦の間に前記切れ目を位置せしめて表示されていることを特徴とするカレンダー。
【請求項２】
折曲可能な六角形状シート体の表裏両面に、５箇所の角部から中心点までそれぞれ山折り線が表示されていると共に、残余の１箇所の角部から中心点まで切れ目が形設されており、かつ当該表面側の山折り線と切れ目によって形成された６箇所の三角形領域部に、順次１月〜６月までの暦が、当該１月と６月の暦の間に前記切れ目を位置せしめて表示されていると共に、当該裏面側の山折り線と切れ目によって形成された６箇所の三角形状領域部に、順次７月〜１２月までの暦が、当該７月と１２月の暦の間に前記切れ目を位置せしめて表示されていることを特徴とするカレンダー。
【請求項３】
前記１月と６月の暦が表示された三角形状領域部又は／及び前記７月と１２月の暦が表示された三角形状領域部の各外郭辺部に、保形用折り込み突片が連成されていることを特徴とする請求項１又は２記載のカレンダー。
【請求項４】
前記六角形状シート体が、紙又は合成樹脂製であることを特徴とする請求項１〜３の何れか１項記載のカレンダー。
【発明の詳細な説明】
【技術分野】
【０００１】
本発明はカレンダー、特にカレンダー自体を立体化して使用することができるカレンダーに関する。
【背景技術】
【０００２】
従来のカレンダーは、一般に紙等のシート体に各月の暦を表示して作成されていたに過ぎなかった。
すなわち、カレンダーそのものはあくまでもシート状であり、これを強いて立体的なものとしようとする場合には、予め円柱体や角柱体を準備し、当該周壁面や側壁面に各月の暦を直接表示、あるいはシート状カレンダーを貼着することになるが、これではシート状のカレンダーに比し嵩が大きくなり過ぎ、輸送や保管効率上に大きな問題が発生するため、実用には不向きなのが実状であった。
【発明の開示】
【発明が解決しようとする課題】
【０００３】
本発明は上記の如き従来の実状に鑑み、未使用時には従来のカレンダーと同様にシート状のカレンダーで、輸送や保管効率に何ら問題が生じることがない一方、使用時には極めて容易に当該シート状のカレンダーを立体化して使用することができるカレンダーを提供することを課題としている。
【課題を解決するための手段】
【０００４】
本発明は、折曲可能な六角形状シート体の少なくとも一方の面に、５箇所の角部から中心点までそれぞれ山折り線が表示されていると共に、残余の１箇所の角部から中心点まで切れ目が形設されており、かつ当該山折り線と切れ目によって形成された６箇所の三角形状領域部に、順次１月〜６月までの暦又は７月〜１２月までの暦が、当該１月と６月の暦の間又は当該７月と１２月の暦の間に前記切れ目を位置せしめて表示されていることを特徴とするカレンダーにより上記課題を解決したものである。
【０００５】
また、本発明は、折曲可能な六角形状シート体の表裏両面に、５箇所の角部から中心点までそれぞれ山折り線が表示されていると共に、残余の１箇所の角部から中心点まで切れ目が形設されており、かつ当該表面側の山折り線と切れ目によって形成された６箇所の三角形領域部に、順次１月〜６月までの暦が、当該１月と６月の暦の間に前記切れ目を位置せしめて表示されていると共に、当該裏面側の山折り線と切れ目によって形成された６箇所の三角形状領域部に、順次７月〜１２月までの暦が、当該７月と１２月の暦の間に前記切れ目を位置せしめて表示されていることを特徴とするカレンダーにより上記課題を解決したものである。
【０００６】
また、本発明は、前記カレンダーにおける前記１月と６月の暦が表示された三角形状領域部又は／及び前記７月と１２月の暦が表示された三角形状領域部の各外郭辺部に、保形用折り込み突片が連成されていることを特徴とするカレンダーにより上記課題を解決したものである。
【０００７】
また、本発明は、前記カレンダーにおける前記六角形状シート体が、紙又は合成樹脂製であることを特徴とするカレンダーにより上記課題を解決したものである。
【発明の効果】
【０００８】
本発明カレンダーは、未使用時には従来と同様シート状のカレンダーであるため、輸送や保管を効率良く行なうことができると共に、使用時には極めて容易に好みに応じて３角〜５角錐体状に組み立てて立体カレンダーとすることができる。
【０００９】
従ってまた、本発明カレンダーによれば、従来のシート状のカレンダーでは不可能であった各月の暦の多面視が可能となるので、特に卓上用カレンダーとして実用的価値を高めるものである。
【発明を実施するための最良の形態】
【００１０】
以下本発明の実施の形態を図面と共に説明する。
【００１１】
図１は、本発明カレンダーの表面説明図で、以下この図１に基いて説明する。
図１において、１０は六角形状シート体で、折曲可能なものであれば、その具体的材質の如何を問わないが、例えば紙や合成樹脂製のシートが好適に用いられる。
【００１２】
２０ａ，２０ｂ，２０ｃ，２０ｄ，２０ｅは山折り線で、六角形状シート体１０の５箇所の角部から当該六角形状シート体１０の中心点までそれぞれ表示されている。
【００１３】
３０は切れ目で、六角形状シート体１０の残余の角部、すなわち上記山折り線２０ａ，２０ｂ，２０ｃ，２０ｄ，２０ｅを表示しなかった角部から六角形状シート体１０の中心点まで形設されている。
【００１４】
４０ａ，４０ｂ，４０ｃ，４０ｄ，４０ｅ，４０ｆは三角形状領域部で、当該三角形状領域部４０ａは切れ目３０と山折り線２０ａと六角形状シート体１０の外郭辺部とによって、当該三角形状領域部４０ｂは山折り線２０ａと山折り線２０ｂと六角形状シート体１０の外郭辺部とによって、当該三角形状領域部４０ｃは山折り線２０ｂと山折り線２０ｃと六角形状シート体１０の外郭辺部とによって、当該三角形状領域部４０ｄは山折り線２０ｃと山折り線２０ｄと六角形状シート体１０の外郭辺部とによって、当該三角形状領域部４０ｅは山折り線２０ｄと山折り線２０ｅと六角形状シート体１０の外郭辺部とによって、当該三角形状領域部４０ｆは山折り線２０ｅと切れ目３０と六角形状シート体１０の外郭辺部とによって、それぞれ形成されている。
【００１５】
三角形状領域部４０ａには１月の暦が、三角形状領域部４０ｂには２月の暦が、三角形状領域部４０ｃには３月の暦が、三角形状領域部４０ｄには４月の暦が、三角形状領域部４０ｅには５月の暦が、三角形状領域部４０ｆには６月の暦がそれぞれ表示され、当該１月と６月の暦の間に切れ目３０が介在している状態となっている。
【００１６】
５０ａ，５０ｂは保形用折り込み突片で、当該保形用折り込み突片５０ａは１月の暦が表示された三角形状領域部４０ａの外郭辺部に、山折り線６０ａを介して六角形状シート体１０と一体に連成されていると共に、当該保形用折り込み突片５０ｂは６月の暦が表示された三角形状領域部４０ｆの外郭辺部に、山折り線６０ｂを介して六角形状シート体１０と一体に連成されている。
【００１７】
当該保形用折り込み突片５０ａ，５０ｂは、六角形状シート体１０の材質がそれ自体で組み立て後の錐体状を保形し得るものであれば、必ずしも必要ではないが、より確実に錐体状を保形する上で形成するのが望ましい。
【００１８】
図２は、本発明カレンダーの裏面説明図で、六角形状シート体１０の裏面に、前記と同様にして７月〜１２月までの暦が表示されている。
【００１９】
斯様に六角形状シート体１０の表面に１月〜６月までの半年分の暦を表示すると共に、当該六角形状シート体１０の裏面に７月〜１２月までの半年分の暦を表示すれば、一枚の六角形状シート体１０で１年分のカレンダーを提供することができるが、２枚の六角形状シート体１０を用意し、その表面にそれぞれ１月〜６月までの半年分の暦と、７月〜１２月までの半年分の暦を表示し、２枚で１年分のカレンダーとしても良い。
【００２０】
次に、図３〜図６を用いて、本発明カレンダーの使用時における組み立て立体化法を説明する。
まず、図３に示す如く、各山折り線２０ａ、２０ｂ、２０ｃ、２０ｄ、２０ｅに沿って六角形状シート体１０を山折りし、次いで、切れ目３０を利用して６月の暦が表示された三角形状領域部４０ｆの上面に、１月の暦が表示された三角形状領域部４０ａを重ね、更に両保形用折り込み突片５０ａ及び５０ｂを、山折り線６０ａ及び６０ｂに沿って共に内方に折り込めば、図４に示す如く、１月〜５月までの暦が表面に露出した５角錐体状のカレンダー１００が形成され、その状態が安定に保持される。
【００２１】
また、１月の暦が表示された三角形状領域部４０ａを逆に下にし、その上面に６月の暦が表示された三角形状領域部４０ｆを重ね、上記と同様に保形用折り込み突片５０ａ及び５０ｂを内方に折り込めば、図５に示す如く、２月〜６月までの暦が表面に露出した５角錐体状のカレンダー１００が形成され、その状態が安定に保持される。
【００２２】
更に、図２に示される六角形状シート体１０の裏面を利用し、上記と同様に、５角錐体状に組み立て立体化することにより、７月〜１１月までの暦、あるいは８月〜１２月までの暦が表面に露出したカレンダー（図示省略）を形成することができる。
【００２３】
上記図３〜図５は、５角錐体状に組み立て立体化した例を示したものであるが、４月の暦が表示された三角形状領域部４０ｄの上面に、１月の暦が表示された三角形状領域部４０ａを重ねて上記と同様に組み立てれば、図６に示す如く、１月〜３月等の３ヶ月分が表示された４半期毎に対応する３角錐体状のカレンダー１１０を形成することができる。同様に、５月の暦が表示された三角形状領域部４０ｅの上面に１月の暦が表示された三角形状領域部４０ａを重ねて組み立てれば、１月〜４月等の４ヶ月分が表示された４角錐体状のカレンダー（図示省略）を形成することができる。
【図面の簡単な説明】
【００２４】
【図１】本発明カレンダーの表面説明図。
【図２】本発明カレンダーの裏面説明図。
【図３】本発明カレンダーの組み立て途中の斜視説明図。
【図４】１月〜５月が露出した５角錐体のカレンダーの斜視説明図。
【図５】２月〜６月が露出した５角錐体状のカレンダーの斜視説明図。
【図６】１月〜３月が露出した３角錐体状のカレンダーの斜視説明図。
【符号の説明】
【００２５】
１０：六角形状シート体
２０ａ，２０ｄ，２０ｃ，２０ｄ，２０ｅ：山折り線
３０：切れ目
４０ａ，４０ｄ，４０ｃ，４０ｄ，４０ｅ，４０ｆ：三角形状領域部
５０ａ，５０ｂ：保形用折り込み突片
６０ａ，６０ｂ：山折り線
１００：５角錐体状カレンダー
１１０：３角錐体状カレンダー
【図１】
0004685622.tif 000002
【図２】
0004685622.tif 000003
【図３】
0004685622.tif 000004
【図４】
0004685622.tif 000005
【図５】
0004685622.tif 000006
【図６】
0004685622.tif 000007